(57)【特許請求の範囲】
【請求項１】
濁水を貯留する一時貯留槽と、
前記一時貯留槽に濁水供給管を経て接続される排水処理プラントと、
前記排水処理プラントに接続される濁水処理管と、
一端が前記濁水処理管の鉛直部分に水平乃至斜め上方に向けて接続される分岐管と、
前記排水処理プラントの下部に設置され、前記分岐管の他端に接続される汚泥沈澱槽と、
前記上澄み水を前記一時貯留槽に循環させる配管と、
前記濁水処理管の他端に接続される排水制御弁と、
前記排水制御弁に接続され前記濁水処理管を経て前記排水処理プラントで処理された処理水を河川に放流する放流管と、
前記濁水処理管の入口近傍に設けられ前記排水処理プラントで処理された処理水の水質を測定する水質センサと、
前記排水制御弁を操作制御する操作制御盤と
を備え、前記水質センサにより測定された処理水の水質が管理基準値の範囲内の場合にのみ前記排水制御弁を開いて前記処理水を河川に放流し、前記水質が管理基準値の範囲外の場合には前記排水制御弁を閉じることにより、前記処理水を前記分岐管に流すようにしたことを特徴とする濁水処理システム。」
【発明の詳細な説明】
【０００１】
【発明の属する技術分野】
本発明は、シールドトンネル工事等の土木建設工事などで生じる濁水を処理して河川に放流するための濁水処理システムに関する。
【０００２】
【従来の技術】
シールドトンネル工事等の土木建設工事の現場で生じる濁水は、その水質をｐＨ値として測定し自動的に排水処理プラントで希硫酸、ＰＡＣ、高分子を添加し、条例で定められた管理基準値（ｐＨ５．８〜８．６）の範囲内に処理して河川へ放流している。
【０００３】
【発明が解決しようとする課題】
しかしながら、従来の方式においては、一時的に排水処理プラントの処理能力を超える排水が発生した場合には、条例で定められた管理基準値を満たすことができないまま河川に放流してしまうという問題を有している。
【０００４】
本発明は、上記従来の問題を解決するものであって、水質が管理基準値の範囲外の濁水を河川に放流するのを防止することができる濁水処理システムを提供することを目的とする。
【０００５】
【課題を解決するための手段】
上記目的を達成するために、本発明の濁水処理システムは、濁水を貯留する一時貯留槽と、前記一時貯留槽に濁水供給管を経て接続される排水処理プラントと、前記排水処理プラントに接続される濁水処理管と、一端が前記濁水処理管の鉛直部分に水平乃至斜め上方に向けて接続される分岐管と、前記排水処理プラントの下部に設置され、前記分岐管の他端に接続される汚泥沈澱槽と、前記上澄み水を前記一時貯留槽に循環させる配管と、前記濁水処理管の他端に接続される排水制御弁と、前記排水制御弁に接続され前記濁水処理管を経て前記排水処理プラントで処理された処理水を河川に放流する放流管と、前記濁水処理管の入口近傍に設けられ前記排水処理プラントで処理された処理水の水質を測定する水質センサと、前記排水制御弁を操作制御する操作制御盤とを備え、前記水質センサにより測定された処理水の水質が管理基準値の範囲内の場合にのみ前記排水制御弁を開いて前記処理水を河川に放流し、前記水質が管理基準値の範囲外の場合には前記排水制御弁を閉じることにより、前記処理水を前記分岐管に流すようにしたことを特徴とする。
【０００６】
【発明の実施の形態】
以下、本発明の実施の形態を図面に基づいて説明する。図１は、本発明の濁水処理システムの概要を説明するための図である。
【０００７】
図１において、土木建設工事の現場で生じる濁水は、雑水槽（一時貯留槽）１に貯留した後、排水処理プラント２に送られ、水質を測定しその値に応じて希硫酸、ＰＡＣ、高分子を添加、処理し、条例で定められた管理基準値の範囲内の場合にはエアー式バルブ（排水制御弁）３を切り替えて河川に放流し、管理基準値の範囲外の場合には、エアー式バルブ３を切り替えて汚泥沈澱槽４を経て雑水槽１に戻し、再度、排水処理プラント２で処理する。
【０００８】
図２および図３は、本発明の濁水処理システムの１実施形態を示し、図２は、図３のＸ−Ｘ線で切断し矢印方向に見た模式的断面図、図３は全体構成を示す模式的側面図である。
【０００９】
図３には、図１で説明した雑水槽（一時貯留槽）１が示され、これに隣接して汚泥沈殿槽４が設置され、汚泥沈澱槽４の上部に排水処理プラント２が設置されている。
【００１０】
雑水槽１には、濁水排水管５から濁水が供給され、雑水槽１内の濁水は、ポンプ６により濁水供給管７を経て排水処理プラント２に供給される。排水処理プラント２内で処理された処理水は、濁水処理管９および放流管１０を経て河川に放流される。濁水処理管９と放流管１０の間には、エアー式バルブ（排水制御弁）３が設けられるとともに、エアー式バルブ３の上流側で上方には濁水処理管９のほぼ鉛直部分に斜め上方に向けて（ほぼ水平でもよい）分岐管１１が接続され、分岐管１１の他端は汚泥沈澱槽４に接続されている。
【００１１】
エアー式バルブ３は、コンプレッサ１２による圧縮空気で制御されるバルブであり、エアー式バルブ３が開くと処理水が放流管１０の側に流れ、エアー式バルブ３が閉じると処理水が分岐管１１の側に流れるように構成されている。
【００１２】
汚泥沈澱槽４の上部にはポンプ１３が設置され、汚泥沈澱槽４内の上澄み水を配管１４を経て雑水槽１に循環するように構成している。なお、１５は、ポンプ、コンプレッサ等を操作制御する操作制御盤である。
【００１３】
図２は、上記排水処理プラント２を示し、図３で説明した濁水供給管７および濁水処理管９が示されている。排水処理プラント２は、第１の反応槽１６、第２の反応槽１７、沈澱槽１９、処理水槽２０から構成されている。
【００１４】
第１の反応槽１６には、濁水供給管７が接続されるとともに希硫酸注入口２１が接続され、また、攪拌機２２とｐＨ値センサ等の水質センサ２３が設けられている。第２の反応槽１７には、ＰＡＣ注入口２４、高分子剤注入口２５が接続されるとともに、攪拌機２６が設けられている。そして、処理水槽２０内の濁水処理管９の入口近傍にｐＨ値センサ等の水質センサ２７が設けられている。
【００１５】
上記構成からなる本発明の濁水処理方法について説明する。現場で発生した濁水は、濁水排水管５を経て雑水槽１内に供給された後、ポンプ６により濁水供給管７を経て排水処理プラント２の第１の反応槽１６内に供給される。ここで、水質センサ２３によりｐＨ値が測定され、その値に応じて希硫酸注入口２１から希硫酸が注入され、また、第２の反応槽１７においてＰＡＣ注入口２４、高分子剤注入口２５から薬剤が注入され、濁水中に含まれる微細浮遊物質が処理される。次いで、濁水処理された処理水は沈澱槽１９に流れここで沈澱物が沈下され、上澄み水が処理水槽２０に流れる。
【００１６】
処理水槽２０内の処理水は、水質センサ２７によりｐＨ値が測定され、ｐＨ値が管理基準値の範囲内の場合にのみ、エアー式バルブ３を開いて濁水処理管９、放流管１０を経て河川に放流し、管理基準値の範囲外の場合（未処理水の場合）には、エアー式バルブ３を閉じて濁水処理管９、分岐管１１を経て汚泥沈澱槽４内に一時的に貯留し、未処理水が所定の水位に達すると、自動的にポンプ１３を運転し配管１４を経て雑水槽１に循環させ、再度、排水処理プラント２にて再処理するようにしている。この再処理は、処理水のｐＨ値が管理基準値内に収まるまで循環させる。
【００１７】
従って、一時的に排水処理プラントの処理能力を超える排水が発生した場合には、これを河川に放流せずに、分岐管１１、汚泥沈澱槽４を経て雑水槽１に循環させ、再度、排水処理プラント２にて処理するので、条例で定められた管理基準値を満たすことができないまま河川に放流してしまうという問題を解消することができる。
【００１８】
また、未処理水を汚泥沈澱槽４に一時的に貯留するため、雑水槽１への供給量を減少させるとともに、未処理水が高濃度のｐＨ値（アルカリ性）の場合、汚泥沈澱槽４内に貯留させることにより希釈させ（未処理水が酸性の場合も可能）、汚泥沈澱槽４の負担を軽減させることができる。
【００１９】
【発明の効果】
以上の説明から明らかなように、本発明によれば、水質が管理基準値の範囲外の濁水を河川に放流するのを防止することができる。
【図面の簡単な説明】
【図１】本発明の濁水処理システムの概要を説明するための図である。
【図２】図３のＸ−Ｘ線で切断し矢印方向に見た模式的断面である。
【図３】本発明の濁水処理システムの１実施形態を示し、全体構成を示す模式的側面図である。
【符号の説明】
１…雑水槽（一時貯留槽）
２…排水処理プラント
３…エアー式バルブ（排水制御弁）
４…汚泥沈澱槽
７…濁水供給管
９…濁水処理管
１０…放流管
１１…分岐管
１４…配管
２７…水質センサ
【図１】
0004078579.tif 000002
【図２】
0004078579.tif 000003
【図３】
0004078579.tif 000004